(57)【要約】      （修正有）【課題】歯磨き剤と濯ぎ水を一切使用しないで済む歯ブラシ。何時でも何処でも使える歯ブラシ。素早扱えて、省資源で、安価な歯ブラシ。歯を磨く回数が無理なく自然に多くなる歯ブラシ。お洒落に優れ、使いたくなる美しい歯ブラシ。大切にしたくなる歯ブラシ。上記の各行を満たし、散歩しながら、テレビを見ながら新聞を読みながら、車や飛行機や宇宙船を操縦中に、戦場において、或いは眠るベッドの中においても、容易に歯を磨ける歯ブラシを提供する。【解決手段】マグネットや宝石や香料を入れて楽しめる孔を設けて成る下記ブラシ台、ハンドル台、および孔付き組立て歯ブラシを提供する。使い捨てに成るが、マグネットなどを挿入できる、機能に優れた孔付き歯ブラシ提供する。諸々の消耗品のブラシ台と、半永久に使えるハンドル台を揃え、それらを組み立てれば孔付き組立て歯ブラシになる装置を備えた部品を提供する。【選択図】図１
2014076253.tif 000002
【特許請求の範囲】
【請求項１】
歯ブラシの植毛部位に、平面から底面に抜ける円孔（１）、円孔（１）を囲んで毛束（２）を植毛し、（１）に着脱するマグネット（３）を嵌めた植毛部にしてなる、孔付き歯ブラシ（４）。
【請求項２】
請求項１の孔付き歯ブラシ（４）の、植毛されている部位をブラシ台、取手側部位をハンドル台として分割、其々を部品と定めたブラシ台の構成は、台平面から底面に抜ける円孔（５）設け、（５）を囲んで毛束（６）を植毛し、台正面側に鉤型突起（７）、底面には、正面から背面手前に伸びて左右に向き合うコの字状の溝（８）を設け、円孔（５）に着脱するマグネット（９）を嵌めた植毛部にしてなる、孔付き組み歯ブラシの部品となる、ブラシ台（１０）。
【請求項３】
請求項３のブラシ台（１０）と着脱する取手側のハンドル台の構成は、台底面に、背面先端部分から正面側に向かう、請求項２のコの字状の溝（８）のサイズに合わせ、縦長板状のレール台（１１）を設け、レール台（１１）の際上に、請求項２の鉤型突起（７）に掛ける装置、半回転の先に伸びて掛けるアーム止具（１２）を設け、一方の先に伸ばしたところに取手（１３）がある、孔付き組み歯ブラシの部品となる、ハンドル台（１４）。
【請求項４】
請求項２のブラシ台（１０）の溝（８）に、請求項３のレール台（１１）をはめ込み、回転するアーム止具（１１）の先を伸ばし、ブラシ台（１０）の鉤型突起（７）にハンドル台（１４）のアーム止具（１２）の先を掛けて成る、マグネット（９）装着の孔付き組立て歯ブラシ（１５）。
【発明の詳細な説明】
【技術分野】
【０００１】  歯ブラシの新機能と構造に関する。
【背景技術】
【０００２】  主流は、１５センチ程のハンドルの先に毛束を密に植毛した歯ブラシで、百年以上前から、変わらない機能の歯ブラシとして量産されている。
５０年ほど前から店頭に並び始めた電地振動型の歯ブラシも量産され、いずれも世界的に愛用されている。
【発明の概要】
【発明が解決しようとする課題】
【０００３】  今の生活様式は百年前と比べるとあらゆる面で著しい変化を遂げているが、歯磨き生活については、殆ど変化していない。
歯の健康が心身の健康と深い関係に在ることを承知しながら、従来歯ブラシの製造者や歯科医師たちは、歯ブラシの機能や効果について関心が向いていなかった。
従来歯ブラシは使い難い、扱い難い、だから歯磨きを進んで行わない。
従来歯ブラシは使いたくならない歯ブラシであり、国民の、歯科衛生問題を改善する立場の責任者、並びにその関係者達は、使いたくない歯ブラシの存在に気が付かない現状がある。【０００４】故に、時間や場所や手間を考えるとその都度歯を磨く事は、とても面倒で、健康に良くない事と判っていながら、わざわざ進んで歯磨きが実行されない。
コーヒータイムにほんの少し歯を汚した時、その場で直ぐに磨いて済ませるのが最良で在るのに、誰もがそのまま汚した歯を抱えた生活をしているのは、問歯ブラシに優れた機能と構造が無く、問題意識に気が付いていない、関心が無いからである。【０００５】  永年の歯磨き生活習慣から、歯を磨くには、磨き剤はともかくとして、濯ぎ水が無ければ出来ないと思い込んでいる。
従来歯ブラシ面には雑菌が密集し易く、衛生上誠に扱い難い、手馴れた確かな使い方をしない限り、実用に不適切と思われる歯ブラシが大量に消費されている。毛束が密集したブラシは雑菌がうようよし易いから、気持ち悪い。
毛束の数を少なくして隙間だらけで、毛束が少ない歯ブラシを探しても見当たらない。
それを、誰も疑問を抱くこと無しに素直に購入しているのは、先祖代々から伝承された歯ブラシの形であり、伝承の歯磨きのスタイルを大切にしている現状に問題がある。【０００６】  歯を蝕むプラークが健康な歯を覆う、従来の歯磨きスタイルでは、特別上手に磨く知恵を絞らない限り、多くの虫歯患者を何時までも生み続ける。
全世界の歯ブラシ製造者たちは、顧客側から、苦情が無い、コンスタントに良く売れる！の慢心が在って歯ブラシの研究が進まない。
従来歯ブラシに関する物理的な構造や進歩性について研鑽努力されている形跡が市販歯ブラシから、全く感じられない。【０００７】  専ら磨き剤や濯ぎ水を使用しないで使用したい。
時と場所を選ばずに歯間や歯周に在る異物の排除と歯茎のマッサージも咄嗟に行えるお洒落な歯ブラシが欲しい。資源を大切にするエコロジーにも良く、わざわざ洗面台に向かって歯磨きをしなくても良い生活スタイル、時間を無駄にしない生活を確保したい。【０００８】  本発明歯ブラシの使用に際し、食物残渣以外は口から外に排出するが、専ら食物残渣などをブラシで口外に排出しないで口中に残った食物残渣は自分の唾液と共に全て嚥下することが望ましいが、従来歯ブラシでは無理だ。
本を読みながら、宇宙船の中でも、極限の環境に在っても、食事の最中においてさえも楽しく使える、歯茎が衛生的であると食物の味が一層楽しめるなど歯磨き習慣を根本から改めた歯ブラシが見つからない。
【課題を解決する為の手段】
【０００９】  前記、従来歯ブラシに関する膨大なる問題点を指摘させて頂いたが、それら課題の大半を解決するために、とりあえず、請求項１〜４を申請し、以下にその手段について述べる。
その手段は、歯ブラシの植毛部位に、平面から底面に抜ける円孔（１）、円孔（１）を囲んで毛束（２）を植毛し、（１）に着脱するマグネット（３）を嵌めた植毛部にしてなる、孔付き歯ブラシ（４）を提供する。
【００１０】  孔付き歯ブラシ（４）の、植毛されている部位をブラシ台、取手側部位をハンドル台として分割、其々を部品と定め、ブラシ台の構成は、台平面から底面に抜ける円孔（５）設け、（５）を囲んで毛束（６）を植毛し、台正面側に鉤型突起（７）、底面には、正面から背面手前に伸びて左右に向き合うコの字状の溝（８）を設け、円孔（５）に着脱するマグネット（９）を嵌めた植毛部にしてなる、孔付き組み歯ブラシの部品となる、ブラシ台（１０）を提供する。
【００１１】  ブラシ台（１０）と着脱する取手側のハンドル台の構成は、台底面に、背面先端部分から正面側に向かう、請求項２のコの字状の溝（８）のサイズに合わせ、縦長板状のレール台（１１）を設け、レール台（１１）の際上に、請求項２の鉤型突起（７）に掛ける装置、半回転の先に伸びて掛けるアーム止具（１２）を設け、そこから一方の先に伸ばしたところに取手（１３）がある、孔付き組み歯ブラシの部品となる、ハンドル台（１４）を提供する。
【００１２】    ブラシ台（１０）の溝（８）に、請求項３のレール台（１１）をはめ込み、回転するアーム止具（１１）の先を伸ばし、ブラシ台（１０）の鉤型突起（７）に、ハンドル台（１４）のアーム止具（１２）の先を掛けて成る、マグネット（９）装着の孔付き組立て歯ブラシ（１５）を提供する。
【００１３】  ハンドル台（１４）の縦長板状のレール台（１１）については、中に孔を設けた縦長中空板状にしたレール台も良い。
鉤型突起（７）に掛けるアーム止具（１１）でブラシ台を止める装置に付いては、ハンドル台とブラシ台に孔を開けて、ネジ止めする方法など従来在る止め装置を種々採用するのも良い。
円孔の数につて、１個に限らないで、ニーズにより２個３個と揃えるのも良い。
円孔に嵌める物について、本発明においてはマグネットを１個嵌めた状態を示しているが、台を大きくして嵌める数を色々揃えるのも良い。
円孔に何も嵌めずに、通水を良くした円孔として用いるのも良いし、円孔に蓋をするのも良い。
ハンドル台は消耗しないので、何時までも大切に１本だけ持っているのも良いが、大小揃えたり、好みのデザインを集めたりするのも良い。
着脱する装置について汎用できるように提供するとしても、大小異なる物もあるから、提供に留意するのが良い。
植毛する毛束の数や質や太さ長さについても、種々揃えるのが良い。
ブラシ台の毛束は消耗するが機能性に富み安価に提供できるから種類をそろえられるから、選択肢が広がるので、期待に応えられるブラシ台を揃えて提供する事が出来る。マグネットを嵌めないでも本発明歯ブラシのブラシ台の機能と構造は、ブラッシングに最も適した機能と構造に優れたものを多種揃えられるものにする。
ブラッシィング機能が異なるブラシ台などを種々揃えても製造コストは安価であるから、安価に提供できる。
テストを繰り返し、使用者の立場に立って、歯磨きをしたい気持ちをサポートできる歯ブラシを完成させて提供する。
【００１４】  本発明の組み立て歯ブラシの特徴として、歯ブラシにマグネットを仕込む事を可能にした孔があるから宝石や香料や薬品等いろいろな物入にすることが出来る。
歯ブラシを消耗する部位と消耗しない部位に分けて、消耗しないハンドル台は機能に富み工芸作品としても優れた物等も取り入れ、末永くご楽しんで使用
着脱する装置について汎用できるように提供するとしても、大小異なる物もあるから、提供に留意するのが良い。
【００１５】  本発明を、食物残渣を排出しないで嚥下する習慣が定着するまでの間は磨き剤を入れて濯ぎ水を使いながら使用してもよいし、本発明歯ブラシの使い方はユーザの選択次第で在る。
【００１６】  全体にブラシ台は水などが前後左右に流れ易いように丸みをつけるのが良い。
ハンドル台に採用する素材は金属、プラスチックス、木、竹、ファインセラミックス、陶磁器や螺鈿、漆などを使うのも良いし、それらを折衷した物も良い。
デザイン装飾を種々施し、歯ブラシにも工芸の光を当て、趣味と芸術の領域に参入するほどの物作りを目指すのが良い。
孔には口臭予防剤やキシリトール剤などを詰めるのも良いし、食物残渣を排出しないで嚥下する習慣が定着するまでの間は磨き剤を入れて濯ぎ水を使いながら使用するのも悪くない。
【００１７】  歯ブラシの取手側に携行し易い装置を設けるのも良いし、着脱するブラシ台やハンドル台のお洒落な容器を用意しておくのも良いし、ハンドル台だけを常時ストラップにつないで、首から提げたり、携帯に下げたり、鍵束に下げたりするのも良い。位台やハンドル台を持ち易くする携行するペンシルにあるヘアピン型の掛け方装置をつけるのも良いし、ストラップ取り付け孔を設けておくのも良いし清潔でおしゃれな容器を付けるのも良い。
サンプル品のテストを十分に重ねたので、本発明品に自身と誇りを有しているが、市販する前に歯科医師や一般市民の使用テストを繰り返し、結果次第で製造販売に着手するのが良い。
【発明の効果】
【００１８】  扱いにくい、歯ブラシの存在は無視できない問題で在りながら、伝統的な歯磨き習慣のスタイルがわざわいとなり、改めることに思いが至らなかった事を認識した。
毛束を密集させた歯ブラシよりも、機能を持たせ毛束を密集させない歯ブラシの方が歯間の食物残渣が良く取れる事がわかった。
１日２〜３回、歯を磨くより、１日１０回以上、磨く方が歯の美容と健康には数倍良いし、歯を少し汚しただけでも直ちに歯を磨くと心身ともに活気付くから助かる。
時間や場所や手間を考えるとその都度歯を磨く事は、とても面倒で、健康に良くない事と判っていながら、わざわざ進んで歯磨きが実行されなかったことから開放された。
コーヒータイムにほんの少し歯を汚した時、その場で直ぐに磨いて済ませるのが最良で在るのに、誰もがそのまま汚した歯を抱えた生活をしているのは、問歯ブラシに優れた機能と構造が無く、問題意識に気が無く、関心が無いからであったと分かった。
永年の歯磨き生活習慣から、歯を磨くには、磨き剤はともかくとして、濯ぎ水が無ければ出来ないと思い込んでいた。
ブラシ面には雑菌が密集し易く、手馴れた確かな使い方をしない限り、実用に不適切と思われる歯ブラシが大量に消費されている事に執着しなかった。
それを、誰も疑問を抱くこと無しに素直に購入しているのは、先祖代々から伝承された歯ブラシの形であり、伝承の歯磨きのスタイルは大切にしている現状に問題があったと認識した。
歯を蝕むプラークが健康な歯を覆う、従来の歯磨きスタイルでは、特別上手に磨く知恵を絞らない限り、多くの虫歯患者を何時までも生み続ける怖さを知った。
全世界の歯ブラシ製造者たちは、顧客側から、苦情が無い、コンスタントに良く売れる！の慢心が在って歯ブラシの研究を進めなかった。
１日２〜３回、歯を磨くより、１日１０回以上、磨く方が歯の美容と健康には数倍良いし、歯を少し汚しただけでも直ちに歯を磨くと心身ともに活気付くから良い。
扱いにくい従来の歯ブラシに在る問題点を廃し、極めて扱い易すい歯ブラシ、衛生的で誰もが歯磨き生活に目覚める歯ブラシ、歯を少し汚しただけで咄嗟に使いたくなる歯ブラシの提供し、良い歯磨き習慣を全国に定着させることを目標として提供された結果に大満足である。
本発明は状況によりブラシ面を咄嗟に交換できるなど衛生的にも優れた技術であり、専ら磨き剤や濯ぎ水を使用しないで使用できて、時と場所を選ばずに歯間や歯周に在る異物の排除と歯茎のマッサージも咄嗟に行える歯茎ブラシにした技術であり、資源を大切にするエコロジーにも貢献し、わざわざ洗面台に向かって歯磨きをしなくても良い生活スタイルにする事で、ゆとりある時間を持つことが出来る。
【００１９】  本発明歯ブラシの使用に際し、食物残渣以外は口から外に排出するが、専ら食物残渣などをブラシで口外に排出しないで口中に残った食物残渣は自分の唾液と共に全て嚥下することを容易にした。
本を読みながら、宇宙船の中でも、極限の環境に在っても、食事の最中においてさえも楽しく使える、歯茎が衛生的であると食物の味が一層楽しめるなどを課題が満たされた。
歯ブラシは誰もが毎日必ず使用する大切な生活必需品である。開業している歯科医師において本発明のテストをして頂いた結果、大変好評であった。
悪い評価は医師側にも患者側にも無く、将来的に継続使用する事を切望された。
レストランのオーナーに本発明の歯ブラシはレストランで使うデザート用の店名入りのホークの先に新しい付け替え用のブラシ台が接続され、（１度使用したブラシ台は上記の歯科医においても同じであるが使用した患者や客に進呈する）等で是非レストランでも採用したいと申された。
【００２０】  歯をいつまでも美しく健康に保ちたい願望は命と健康に関わることでもあるから従来の問題点を解決する意義は誠に大きいし、本発明が従来から続いていた問題点を解決できるとなれば多くの国民に及ぼす健康増進へ貢献できる。
ジョイント装置の規格さえ同じであれば毛束の種類を変えたブラシ台の形状や間隔を変えたブラシ台など多種類の部品を使い分けすることが出来るし、使った部品は消毒液や殺菌液に浸して保管することが出来るし、ブラシ台は小粒であるから管理し易く安価で求めやすい価格で提供できるし、ハンドル部については半永久的に使えるから資源の無駄が無いばかりか、代々に伝えて使用する事ができるから芸術的な価値在るハンドルの作成も良い。従来のように使い捨てする時代の歯ブラシとは決別する時が来ている。
【００２１】  従来の問題で最たる点は使いたくなる歯ブラシが見つからない点である。期待するほど歯が健康にならない、使い勝手が煩雑で回数多く歯を磨く気になれない、だから歯の薬や医者に頼りすぎていたが、本発明は簡便であるから使って楽しいから頻繁に歯を磨かずにおられなくなり、自分の歯が日を追う毎に美しく衛生的で強くなり、何を食するのも美味しく食感を楽しめるようになる。次第に歯は命であり臓器であることに目覚め健康増進のために歯磨き習慣が欠かせないものであることに気が付く。
【００２２】  本発明の組み歯ブラシが認められ、国内に広まれば虫歯が減り、美しく健康な歯になる事がこれほど簡単であったことに驚かれると思う。
歯磨き習慣の革命が起きて、使用者が美しい歯、健康な歯を感じ、喜びを噛み締めて良さを実感していただきたいと思う。
体の不自由なお年寄りや病気で立ち上がれない多くの方々にとって、本発明の歯磨き剤や濯ぎ水を使わないで歯ブラシの特徴が福音に成れば良いし、世界の果てまで本発明を広め、多くの人々の幸せに貢献できる。
【００２３】  従来の問題で最たる点は使いたくなる歯ブラシが見つからない点である。期待するほど歯が健康にならない、使い勝手が煩雑で回数多く歯を磨く気になれない、だから歯の薬や医者に頼りすぎていたが、本発明は簡便であるから使って楽しいから頻繁に歯を磨かずにおられなくなり、自分の歯が日を追う毎に美しく衛生的で強くなり、何を食するのも美味しく食感を楽しめるようになる。次第に歯は命であり臓器であることに目覚め健康増進のために歯磨き習慣が欠かせないものであることに気が付く。
【図面の簡単な説明】
【００２４】
【図１】  孔を空にした状態の孔付き組立て歯ブラシの斜視図。
【図２】  マグネットを装着した孔付き歯ブラシの斜視図。
【図３】  ブラシ台の平面図と底面図、正面図と背面図、左右側面図。
【図４】  ハンドル台の平面図と底面図、正面図と背面図、左右側面図。
【発明を実施するための最良の形態】
【実施例】
【００２５】（図１で示す）シンプルで有ながら、機能性に優れ、構成が合理的で経済性にも優れた、孔を空にした状態の孔付き組立て歯ブラシの組み立てる経過を示す。孔に、害のないアクセサリーを入れて楽しむことも出来る。
【産業上の利用可能性】
【００２６】  生活必需品の歯ブラシにおいて、本発明が使用され普及すれば計り知れない省エネ効果が生まれる。頗る安価に製造できる物から付加価値を吸収させた高額な物も出来る。革新的な歯ブラシの提供は新しい芸術と文化を創造する。
従来の歯磨き用の歯ブラシに使った歯磨き時間を豊かな生活に活かされる。
水や電気の節約、水汚染の防止、歯ブラシの素材に無駄がなくなり安価に製造できる。商品化については本発明出願に関しさらに調査をすすめ結果次第で金型、成形、量産加工販売の計画を速やかに進める事に問題が無いと思料する。
【符号の説明】
【００２７】１．５  円孔
２．６  毛束
３．９  マグネット
４      孔付き歯ブラシ
７      鉤型突起
８      溝
１０    ブラシ台
１１    レール台
１２    アーム止具
１３    取手
１４    ハンドル台
１５    孔付き組立て歯ブラシ
【図１】
2014076253.tif 000003
【図２】
2014076253.tif 000004
【図３】
2014076253.tif 000005
【図４】
2014076253.tif 000006